(57)【要約】      （修正有）【課題】放射線センサの誤検出（誤カウント）を抑え、その測定値の正確性を大幅に向上する放射線センサを備える通信端末を提供する。【解決手段】放射線を計測する放射線センサと、外部の他の装置との送受信する通信部と、放射線センサおよび通信部を制御する制御部とを備え、制御部は、通信部を放射線の測定前に停止させ、放射線センサによって放射線を測定させることで通信による放射線センサ測定へのノイズを防止し、誤検知を防止する。【選択図】図５
2013181814.tif 000002
【特許請求の範囲】
【請求項１】
放射線を計測可能な通信端末であって、
放射線を計測する放射線センサと、
外部の他の装置との送受信する通信部と、
前記放射線センサおよび前記通信部を制御する制御部とを備え、
前記制御部は、前記通信部を放射線の測定前に停止させ、前記放射線センサによって放射線を測定させる、通信端末。
【請求項２】
前記制御部は、前記通信部が一定時間ごとに前記外部の他の装置と通信する間欠動作をする場合には、通信時に前記放射線センサが放射線を測定しないように制御し、非通信時に前記放射線センサが放射線を測定するように前記放射線センサおよび前記通信部を制御する、請求項１に記載の通信端末。
【請求項３】
前記通信端末は、
表示部をさらに備え、
前記制御部は、通信終了後に前記放射線センサが放射線の測定を再開するときは放射線の測定を一時停止状態に移行させることを報知する表示を行なうように前記表示部を制御する、請求項２に記載の通信端末。
【請求項４】
前記制御部は、放射線の測定を行なう場合に、前記通信部が通信状態であるときには、通信が終了するまで前記放射線センサを待機状態とする、請求項２に記載の通信端末。
【請求項５】
前記制御部は、放射線の測定を行なう場合に、放射線の測定時間が予め設定される基準時間を超えたときに、放射線の測定を終了する、請求項２または請求項３のいずれかに記載の通信端末。
【請求項６】
前記制御部は、放射線の測定を行なう場合に、測定放射線量が予め設定される基準放射線量を超えたときに、放射線の測定を終了する、請求項２または請求項３のいずれかに記載の通信端末。
【発明の詳細な説明】
【技術分野】
【０００１】
本発明は、通信端末に関し、特に、放射線センサを備える通信端末に関する。
【背景技術】
【０００２】
たとえば、通信端末の一例である携帯電話に放射線センサを搭載している商品がないため、携帯電話に放射線センサを搭載すると、電磁波ノイズ（特に送信波）により放射線センサが誤検出してしまう。
【０００３】
このような電磁波ノイズを除去する技術として下記のものが知られている。
特許文献１（特開２００９−１７４９５６号公報）に開示される発明は、内部にエリアモニタの放射線を検知する部分を収容するセンサカバーを、炭素繊維強化プラスチック（ＣＦＲＰ）からなるものとする。これにより、半導体センサの出力に影響を与える外部からの電磁誘導ノイズをセンサカバーにて遮蔽することができ、携帯電話や蛍光灯のアーク放電等の外部からの電磁誘導ノイズが強い設置場所においても安定した線量率測定値を出力することができる。また、アース線に接続することなく電磁波に対する遮蔽効果を得られるので、アースに接続するための配線を設ける必要がなく簡単な構造であり、エリアモニタ検出部の設置場所のアース線がノイズの影響を受けている場合であっても影響を受けることなく安定した遮蔽効果を得ることができる。
【先行技術文献】
【特許文献】
【０００４】
【特許文献１】特開２００９−１７４９５６号公報
【発明の概要】
【発明が解決しようとする課題】
【０００５】
しかしながら、特許文献１（特開２００９−１７４９５６号公報）に開示される発明は、放射線センサを備える通信端末について詳しくは検討されていない。
【０００６】
また、たとえば携帯電話は自動で間欠的に基地局と無線通信（送受信）し、加えて、測定者が意図しないタイミングで着信（通話・メール等）が発生する可能性があるため、携帯電話に搭載している放射線センサは、これらの電磁波ノイズに反応してしまう可能性があり、誤検出（誤カウント）してしまう可能性がある。その結果、放射線量の測定が正しく実施できているのかを測定者が認識できないと問題がある。
【０００７】
この発明は、上述する課題を解決するためになされたもので、その目的は、放射線センサの誤検出（誤カウント）を抑え、その測定値の正確性を大幅に向上する放射線センサを備える通信端末を提供することである。
【課題を解決するための手段】
【０００８】
本発明のある局面に従うと、放射線を計測可能な通信端末であって、放射線を計測する放射線センサと、外部の他の装置との送受信する通信部と、放射線センサおよび通信部を制御する制御部とを備え、制御部は、通信部を放射線の測定前に停止させ、放射線センサによって放射線を測定させる。
【０００９】
好ましくは、制御部は、通信部が一定時間ごとに外部の他の装置と通信する間欠動作をする場合には、通信時に放射線センサが放射線を測定しないように制御し、非通信時に放射線センサが放射線を測定するように放射線センサおよび通信部を制御する。
【００１０】
また、好ましくは、通信端末は、表示部をさらに備え、制御部は、通信終了後に放射線センサが放射線の測定を再開するときは放射線の測定を一時停止状態に移行させることを報知する表示を行なうように表示部を制御する。
【００１１】
また、好ましくは、制御部は、放射線の測定を行なう場合に、通信部が通信状態であるときには、通信が終了するまで放射線センサを待機状態とする。
【００１２】
さらに好ましくは、制御部は、放射線の測定を行なう場合に、放射線の測定時間が予め設定される基準時間を超えたときに、放射線の測定を終了する。
【００１３】
さらに好ましくは、制御部は、放射線の測定を行なう場合に、測定放射線量が予め設定される基準放射線量を超えたときに、放射線の測定を終了する。
【発明の効果】
【００１４】
本実施の形態の放射線センサを備える通信端末によれば、放射線センサの誤検出（誤カウント）を抑え、その測定値の正確性を大幅に向上することができる。
【図面の簡単な説明】
【００１５】
【図１】本実施の形態にかかる通信端末１００の構成の具体例を示す図である。
【図２】通信端末１００の装置構成の具体例を示す図である。
【図３】制御部１０の機能構成の具体例を示すブロック図である。
【図４】通信端末１００での動作の流れの例（動作フロー１）を示す図である。
【図５】無線通信と放射線測定との関係を説明するための図である。
【図６】通信端末１００での表示画面の具体例を示す図である。
【図７】通信端末１００での表示画面の具体例を示す図である。
【図８】通信端末１００での表示画面の具体例を示す図である。
【図９】通信端末１００での表示画面の具体例を示す図である。
【図１０】通信端末１００での表示画面の具体例を示す図である。
【図１１】通信端末１００での動作の流れの別の例（動作フロー２）を示す図である。
【図１２】動作フロー２の無線通信と放射線測定との関係を説明するための図である。
【図１３】間欠動作中にメールを受信した表示例を示す図である。
【発明を実施するための形態】
【００１６】
以下、本発明について図面を参照して詳しく説明する。なお、図中同一又は相当部分には同一の符号を付してその説明は繰り返さない。
【００１７】
［実施の形態］
＜通信端末の概観＞
図１は、本実施の形態にかかる通信端末１００の構成の具体例を示す図である。図１を参照して、通信端末１００は、放射線センサ１６を備える。通信端末１００は、外部からの通信を受信する機能、あるいは外部と送信する機能、あるいはその両方の機能を有する端末装置であればよく、たとえば、携帯電話機、情報受信機能を有するナビゲーション装置、などが該当する。
【００１８】
＜装置構成＞
図２は、通信端末１００の装置構成の具体例を示す図である。
【００１９】
図２を参照して、通信端末１００は、ＣＰＵ（Ｃｅｎｔｒａｌ  Ｐｒｏｃｅｓｓｉｎｇ  Ｕｎｉｔ）を含み、装置全体を制御するための制御部１０と、制御部１０で処理するための各種プログラムやデータなどを記憶するための記憶部１１と、アンテナを含み、電話やメールなどの外部からの情報を受信したり、当該端末から情報をアンテナで外部に発したりするための通信部１２と、ＬＥＤ（Ｌｉｇｈｔ  Ｅｍｉｔｔｉｎｇ  Ｄｉｏｄｅ）ディスプレイやＬＣＤ（Ｌｉｑｕｉｄ  Ｃｒｙｓｔａｌ  Ｄｉｓｐｌａｙ）などである表示部１３と、タッチパネルやキーなどのユーザからの入力を受け付けるための入力部１４と、当該通信端末１００に電力を供給するための電源部１５と、通信端末１００の周辺の放射線量等を測定する放射線センサ１６とを含む。
【００２０】
＜機能構成＞
図３は、制御部１０の機能構成の具体例を示すブロック図である。図３に表された各機能は、通信端末１００の制御部１０に含まれるＣＰＵが、記憶部１１に記憶されるプログラムを読み出して実行することで、主に、ＣＰＵに形成されるものである。しかしながら、少なくとも一部が電気回路等のハードウェア構成によって実現されてもよい。
【００２１】
図３を参照して、制御部１０は、入力部１４からの指示入力を受け付けるための指示入力部１０１と、その指示に応じて放射線測定モードを設定するためのモード設定部１０２と、その設定を記憶するためのモード記憶部１０３とを含む。
【００２２】
さらに制御部１０は、放射線センサ１６が検出した放射線量の入力を受け付けるための放射線量入力部１０４と、入力される放射線量を判断するための放射線量判断部１０５と、その判断結果に応じて放射線センサ１６を制御する放射線センサ制御部１１１とを含む。
【００２３】
また、制御部１０は、通信部１２を監視して、電話等の着信を開始するか否かを判断するための通信判断部１０８と、その判断結果に従って、通信を実現するように通信部１２を制御するための通信制御部１０９とを含む。モード記憶部１０３は、通信判断部１０８の現在の通信状態に関する情報を格納する。
【００２４】
また、制御部１０は、電話の着信や放射線測定モードの開始等を表示部１３で報知（通知）する処理を行なうための表示制御部１１０を含む。
【００２５】
＜動作フロー１＞
図４は、通信端末１００での動作の流れの例（動作フロー１）を示す図である。また、図６〜図１０は、通信端末１００での表示画面の具体例を示す図である。
【００２６】
図４を参照して、初めに、測定者（ユーザ）は入力部１４から放射線測定をするための要求を行なう（ステップＳ１）。指示入力部１０１は、この放射線測定をするための要求を受ける。たとえば、図６に表されたメニュー画面から「放射線測定モード」をユーザは選択する。なお、この放射線測定をするための要求は、ユーザからの入力に限らず、タイマ等によってユーザが設定した時刻ごとに行なわれてもよい。
【００２７】
次に、指示入力部１０１が放射線測定をするための要求を受けると、モード設定部１０２は、放射線センサ１６が電磁波ノイズを検知しないようにするために「電波ＯＦＦモード」に設定する。具体的には、通信制御部１０９は、通信部１２が外部からの受信を可能状態から不可状態に切り替えを行なう（ステップＳ２）。
【００２８】
次に、モード設定部１０２から放射線センサ制御部１１１へ放射線測定開始要求がなされ、放射線センサ制御部１１１は放射線センサ１６を放射線測定可能な状態に制御する（ステップＳ３）。たとえば、図７の確認画面において開始を指示することで、図８に示されるように「放射線測定モード」が開始される。なお、図８の放射線測定モードが開始されると、通信端末１００が送受信するための電波のすべてがＯＦＦに設定されているため、「圏外」の表示がなされる。
【００２９】
次に、放射線センサ１６によって放射線が測定され、放射線量入力部１０４はその放射線量を取得する（ステップＳ４）。なお、放射線測定モード中には、図９に示されたように、放射線測定モードであることを表すアイコンが画面上部に表示されてもよい。
【００３０】
そして、モード設定部１０２から放射線測定を終了するための要求を放射線センサ制御部１１１が受けると、放射線センサ制御部１１１は放射線センサ１６が放射線測定を終了するように制御する（ステップＳ５）。
【００３１】
そして、モード設定部１０２は「電波ＯＦＦモード」を解除し、一方、通信制御部１０９は通信部１２が外部からの受信を不可状態から可能状態に切り替えを行なうように制御する（ステップＳ６）。
【００３２】
そして、放射線量判断部１０５は測定された放射線量を処理する。表示制御部１１０は表示部１３に測定結果の報知（通知）する（ステップＳ７）。図１０に示されたように、時間当たりの放射線量や放射線量（積算）などの測定結果が表示される。
【００３３】
上述した動作フロー１の理解を容易にするために、さらに説明を加える。図５は、動作フロー１の無線通信と放射線測定との関係を説明するための図である。図５を参照して、動作フロー１での無線通信の状態と、放射線測定の状態とが示される。また、これらの状態と図４の各ステップとが合わせて示されている。
【００３４】
通信端末１００は、時刻ｔ１まで、所定の時間ごとに自動的に通信端末１００の基地局と送受信処理（無線通信）を行なう間欠動作を行なう（オン状態）。この間は、通信端末１００での放射線測定は停止される（オフ状態）。
【００３５】
そして、時刻ｔ１に通信端末１００の間欠動作が停止され、放射線測定が開始される（ステップＳ１〜Ｓ４）。この放射線測定は時刻ｔ２まで行なわれる。この測定時間（時刻ｔ１〜ｔ２）は、任意であるが、たとえば、５分間程度が好ましい。
【００３６】
また、時刻ｔ２に放射線測定が終了し、電波ＯＦＦモードが解除され、通信端末１００は間欠動作を再開する（オン状態）。このとき、放射線センサは停止され、放射線の測定処理は行われない（オフ状態）。この測定結果がユーザに放置されることになる。
【００３７】
このように、動作フロー１に従うと、放射線量を測定（カウント）するタイミングと無線通信（携帯電話としての電磁波ノイズ）を排他制御することにより、誤検出（誤カウント）を抑えることが可能となり、測定値の正確性を大幅に向上できる。
【００３８】
＜動作フロー２＞
図１１は、通信端末１００での動作の流れの別の例（動作フロー２）を示す図である。動作フロー１では、無線通信と放射線測定とは排他的な関係にし、無線通信の間欠動作を停止して放射線測定を行なってきた。この動作フロー２では、無線通信の間欠動作を停止させず、放射線測定の精度を向上させる。
【００３９】
図１１を参照して、動作フロー１のステップＳ１と同様に、測定者（ユーザ）は入力部１４から放射線測定をするための要求（コマンド）を行なう（ステップＳ１１）。指示入力部１０１は、この放射線測定をするための要求を受ける。
【００４０】
次に、指示入力部１０１が放射線測定をするための要求を受けると、通信判断部１０８は通信部１２が無線通信中か否かを判断する（ステップＳ１２）。通信部１２が無線通信中であると判断されると（ステップＳ１２：ＹＥＳ）、通信判断部１０８は通信制御部１０９に通信部１２の無線通信を停止するように制御する。この処理が終了するまでは、次のステップＳ１４の処理は行なわれず、待機状態となる（ステップＳ１３）。
【００４１】
一方、通信部１２が無線通信中でないと判断されると（ステップＳ１２：ＮＯ）、およびステップＳ１３において無線通信の停止処理が終了すると、放射線センサ制御部１１１へ放射線測定開始要求がなされ、放射線センサ制御部１１１は放射線センサ１６を放射線測定可能な状態に制御する（ステップＳ１４）。
【００４２】
次に、放射線センサ１６によって放射線が測定され、放射線量入力部１０４はその放射線量を取得する（ステップＳ１５）。なお、放射線測定モード中には、図９に示されたように、放射線測定モードであることを表すアイコンが画面上部に表示されてもよい。
【００４３】
このステップＳ１５の状態において、放射線量判断部１０５は、放射線測定時間が予め設定された所定時間を超えた場合あるいは測定放射線量（積算）が予め設定された所定放射線量（積算）を超えた場合には、放射線測定終了するための要求を放射線センサ制御部１１１に送信する（ステップＳ１５１：ＹＥＳ）。この放射線測定終了要求に基づき、放射線センサ制御部１１１は放射線センサ１６を停止し、ユーザに測定結果を報知（通知）する（ステップＳ１７，Ｓ１８）。一方、まだ所定測定時間および所定放射線量（積算）の範囲内である場合（ステップＳ１５１：ＮＯ）には、ステップＳ１６に処理が進む。なお、所定放射線量（積算）および放射線測定時間を自由に設定できることにより、ユーザが放射線の対応を迅速に行なうことができる。
【００４４】
このステップＳ１６の状態において、制御部１０は、通信部１２を介して、間欠動作により外部の他の装置（たとえば、通信端末の基地局）との無線通信の開始要求がある場合（ステップＳ１６：ＹＥＳ）には、放射線センサ制御部１１１が放射線センサ１６を一時停止するように制御する（ステップＳ１９）。
【００４５】
そして、通信制御部１０９は、たとえば、通信部１２が外部の他の装置に通信端末１００からの情報を送信可能なように制御し、通信部１２は、通信端末１００からの情報の送信を開始する（ステップＳ２０）。通信部１２は、外部からの他の装置に通信端末１００からの情報を送信終了すると（ステップＳ２１）、放射線センサ制御部１１１は、放射線センサ１６を制御して、放射線の測定を再開し（ステップＳ２２）、放射線量を取得する処理であるステップＳ１５に処理が戻る。
【００４６】
一方、制御部１０は、通信部１２を介して、外部の他の装置に通信端末１００からの情報の送信を開始要求がないと判断する場合（ステップＳ１６：ＮＯ）には、放射線の測定終了要求がなされるまで、放射線の測定が行なわれる（ステップＳ１７）。この放射線の測定終了要求とは、測定時間が所定時間に達したり、所定の放射線量に達したり、入力部１４から放射線測定を終了するための要求（コマンド）を受けた場合に、測定を終了するように制御部１０から、放射線センサ制御部１１１に送られる要求のことである。
【００４７】
そして、放射線量判断部１０５は、表示制御部１１０を介して、測定された放射線に関する情報（たとえば、時間当たりの放射線量、積算放射線量など）を表示部１３に表示し、ユーザに報知（通知）する（ステップＳ１８）。
【００４８】
上述した動作フロー２の理解を容易にするために、さらに説明を加える。図１２は、動作フロー２の無線通信と放射線測定との関係を説明するための図である。図１２を参照して、動作フロー２での無線通信の状態と、放射線測定の状態とが示される。また、これらの状態と図１１の各ステップとが合わせて示されている。
【００４９】
通信端末１００は、時刻ｔ０まで、所定の時間ごとに自動的に通信端末１００の属する基地局と送受信処理を行なう間欠動作を行なう。なお、この時刻までは、まだユーザあるいはタイマ等により放射線測定の要求はなされていない。
【００５０】
そこで、図２および図３の入力部１４を介して、時刻ｔ０に図１１に示したようにユーザから放射線測定の入力がなされると、ステップＳ１１の処理である放射線測定の要求を指示入力部１０１が受ける。次に、通信端末１００は、時刻ｔ０において、無線通信を行なっていないことにより、ステップＳ１４の処理に進む（ステップＳ１２：ＮＯ）。
【００５１】
そして、ステップＳ１６において、放射線の測定が時刻ｔ１まで行なわれるが、時刻ｔ１に通信制御部１０９が無線通信の間欠動作を開始するために、時刻ｔ１〜ｔ２までの間について放射線の測定を一時停止する処理を行なう（ステップＳ１６：ＹＥＳ、ステップＳ１９）。
【００５２】
そして、無線通信が終了する時刻ｔ２経過後、再び、放射線の測定が行なわれ（ステップＳ２１，Ｓ２２）、時刻ｔ３まで放射線の測定が行なわれる（ステップＳ１５）。
【００５３】
時刻ｔ０〜時刻ｔ２までのような動作が、たとえば時刻ｔ１５まで無線通信の間欠動作に応じて繰り返し行なわれる。このとき、無線通信の間欠動作と放射線測定とは排他制御されている。
【００５４】
また、たとえば、時刻ｔ７〜時刻ｔ８の間に行なわれた無線通信の間欠動作によって、通信端末１００は外部の他の装置にメールが届いていることを検知し、ユーザにメールを受信するかどうかの問い合わせがなされる。
【００５５】
図１３は、間欠動作中にメールを受信した表示例を示す図である。図１３を参照して、アンテナの受信強度を示すアイコンと、「放射線測定一時停止中」の表示とともに、外部の他の装置から「メール」を受信した旨の表示がされている。加えて、現在までの放射線の測定時間が「００：００：０２」と合わせて表示される。
【００５６】
時刻ｔ１５において測定時間の合計が所定時間（たとえば５分間）に達した場合には、放射線の測定は終了し、測定結果をユーザに報知（通知）する（ステップＳ１７，Ｓ１８）。
【００５７】
このように、動作フロー２に従うと、間欠動作を停止することなく、放射線量を測定（カウント）するタイミングと無線通信（携帯電話としての電磁波ノイズ）を排他制御することにより、誤検出（誤カウント）を抑えることが可能となり、測定値の正確性を大幅に向上できる。また、正確な測定により、放射線量の高い場所での測定回数を最小限とすることができ、ユーザの人体への影響も最小限とすることが可能となる。
【００５８】
最後に、図等を用いて、実施の形態を総括する。
実施の形態は、図１〜図３に示すように、放射線を計測可能な通信端末１００であって、放射線を計測する放射線センサ１６と、外部の他の装置との送受信する通信部１２と、放射線センサ１６および通信部１２を制御する制御部１０とを備え、制御部１０は、通信部１２を放射線の測定前に停止させ、放射線センサ１６によって放射線を測定させる。
【００５９】
好ましくは、図１１、図１２に示すように、制御部１０は、通信部１２が一定時間ごとに外部の他の装置と通信する間欠動作をする場合には、通信時に放射線センサ１６が放射線を測定しないように制御し、非通信時に放射線センサ１６が放射線を測定するように放射線センサ１６および通信部１２を制御する。
【００６０】
また、好ましくは、図１３に示すように、通信端末は、表示部１３をさらに備え、制御部１０は、通信終了後に放射線センサ１６が放射線の測定を再開するときは放射線の測定を一時停止状態に移行させることを報知する表示を行なうように表示部１３を制御する。
【００６１】
また、好ましくは、図１１のステップＳ１１〜ステップＳ１４に示すように、制御部１０は、放射線の測定を行なう場合に、通信部１２が通信状態であるときには、通信が終了するまで放射線センサ１６を待機状態とする。
【００６２】
さらに好ましくは、図１１のステップＳ１５１に示すように、制御部１０は、放射線の測定を行なう場合に、放射線の測定時間が予め設定される基準時間を超えたときに、放射線の測定を終了する。
【００６３】
さらに好ましくは、図１１のステップＳ１５１に示すように、制御部１０は、放射線の測定を行なう場合に、測定放射線量が予め設定される基準放射線量を超えたときに、放射線の測定を終了する。
【００６４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６５】
１００  通信端末、１０  制御部、１１  記憶部、１２  通信部、１３  表示部、１４  入力部、１５  電源部、１６  放射線センサ、１０１  指示入力部、１０２  モード設定部、１０３  モード記憶部、１０４  放射線量入力部、１０５  放射線量判断部、１０８  通信判断部、１０９  通信制御部、１１０  表示制御部、１１１  放射線センサ制御部。
【図１】
2013181814.tif 000003
【図２】
2013181814.tif 000004
【図３】
2013181814.tif 000005
【図４】
2013181814.tif 000006
【図５】
2013181814.tif 000007
【図６】
2013181814.tif 000008
【図７】
2013181814.tif 000009
【図８】
2013181814.tif 000010
【図９】
2013181814.tif 000011
【図１０】
2013181814.tif 000012
【図１１】
2013181814.tif 000013
【図１２】
2013181814.tif 000014
【図１３】
2013181814.tif 000015